(57)【特許請求の範囲】
【請求項１】
矩形のソーラーパネルと、該ソーラーパネルの底面に固定された筐体と、該筐体に収容されたバッテリーと、充放電コントローラーと、外部の電気機器を接続することが可能なコンセントを備えたインバーターとが収納され、さらには筐体の側面に開閉可能な開口部が設けられており、
ソーラーパネルは、少なくとも対向する二辺が筐体の外側に延出しており、当該対向する二辺の側端部を手で保持して持ち運び得るよう構成され、
さらに筐体には、ソーラーパネルと平行な平行板部と、ソーラーパネルに対して傾斜する傾斜板部とを備えており、少なくとも、平行板部を下向きにした姿勢と、傾斜板部を下向きにした姿勢で水平面に載置可能であることを特徴とする可搬ソーラー発電装置。
【請求項２】
請求項１に記載の可搬ソーラー発電装置と、
該可搬ソーラー発電装置の筐体に収容可能に構成され、該可搬ソーラー発電装置を電源として点灯する照明器具とを備えることを特徴とする可搬ソーラー照明装置。
【請求項３】
前記照明器具は、ポールの上部にＬＥＤを保持してなる照明器具本体と、該照明器具本体の下端に装着して照明器具本体を地面に立設するためのペグとを備えることを特徴とする請求項２に記載の可搬ソーラー照明装置。
【発明の詳細な説明】
【技術分野】
【０００１】
本発明は、手で持って運ぶことのできる可搬ソーラー発電装置及び可搬ソーラー照明装置に関する。
【背景技術】
【０００２】
特許文献１には、商用電源が供給されない遠隔地や、大規模停電が発生した被災地などで好適に用い得る可搬ソーラー発電装置が開示されている。この可搬ソーラー発電装置は、バッテリーを収容した筐体（トランク）の外側面にソーラーパネル（太陽電池）と照明器具を配設してなるものであり、ソーラーパネルが発電した電気を、照明器具の点灯に用いたり、その他の電気機器に供給したりできるよう構成される。また、特許文献１では、可搬ソーラー発電装置を運搬可能とするための構成として、筐体に手提げホルダーやショルダーベルト、キャスター等を配設することが提案されている。また、特許文献１には、筐体を傾斜状態で設置可能とする補助材が開示されている。
【先行技術文献】
【特許文献】
【０００３】
【特許文献１】実用新案登録３１０３９９４号公報
【発明の概要】
【発明が解決しようとする課題】
【０００４】
ところで、特許文献１記載の可搬ソーラー発電装置は、実用性を考えるとバッテリーも含めて３０ｋｇ程度にはなるため、手提げホルダーやショルダーベルトを用いて一人で運ぶのは現実的ではない。また、キャスターでは、未舗装路や階段を移動するのが困難であり、使用できる場所が大きく制限されてしまう。このため、実用サイズの可搬ソーラー発電装置は複数人で運搬可能とすることが好ましい。しかしながら、複数人で持ち運ぶような重いものの場合、状況に応じて運ぶ人数が変わり、また、腕力の有無によって片手で持つ場合もあれば、両手で持つ場合もある。このため、複数人で持ち易いように持ち手を配設しようとしても、好ましい持ち手の位置が一義的に定まらず、多様な持ち方に応じ得るように多数の持ち手を配設するとコスト高となってしまうという問題がある。
【０００５】
本発明はかかる問題の解決を試みたものであり、複数人で持ち運ぶのに適した可搬ソーラー発電装置及び可搬ソーラー照明装置の提供を目的とする。
【課題を解決するための手段】
【０００６】
本発明は、矩形のソーラーパネルと、該ソーラーパネルの底面に固定された筐体と、該筐体に収容されたバッテリーとを備えてなり、ソーラーパネルは、少なくとも対向する二辺が筐体の外側に延出しており、当該対向する二辺の側端部を手で保持して持ち運び得るよう構成されていることを特徴とする可搬ソーラー発電装置である。
【０００７】
かかる構成では、筐体の外側に延出するソーラーパネルの側端部を手掛りとすることで、可搬ソーラー発電装置を持ち運ぶことができるから、別途持ち手を配設する必要がなく、製造コストを抑えることができる。特に、本構成では、可搬ソーラー発電装置の上部を両側から保持して運搬することができるため、発電装置を安定して持ち運ぶことができる。また、本構成では、ソーラーパネルの前記側端部は、筐体の外側に、パネルの全幅に亘って延出しており、運び手は、幅広な側端部の任意の場所を選択的に手掛りとすることができる。このため、本発明の可搬ソーラー発電装置は、運び手の人数や、片手持ち・両手持ちの違いにも柔軟に対応でき、複数人での運搬に適する。
【０００８】
また、本発明にあって、前記対向する二辺はソーラーパネルの長尺方向に対向するものであり、該対向する二辺の各側端部を複数人が別々に保持して持ち運び得るよう構成されていることが提案される。かかる構成にあっては、短尺方向に対向する側端部を保持する場合に比べて可搬ソーラー発電装置を安定して持ち運ぶことができ、また、運搬時に、発電装置と運び手とがソーラーパネルの長尺方向に並ぶことで、比較的狭い場所を通行可能となる。
【０００９】
また、本発明にあって、筐体には、ソーラーパネルと平行な平行板部と、ソーラーパネルに対して傾斜する傾斜板部とを備えており、少なくとも、平行板部を下向きにした姿勢と、傾斜板部を下向きにした姿勢で水平面に載置可能であることが提案される。かかる構成にあっては、平行板部を下向きにして地面に載置すれば、ソーラーパネルを水平に保持することができ、傾斜板部を下向きにして地面に載置すれば、ソーラーパネルを傾けて保持することができる。このように、かかる構成にあっては、補助材などを使用せずにソーラーパネルの設置角度を調節できるから、補助材が不要となる分、製造コストを削減することができる。また、本構成では、筐体の角度を変えて載置するだけでソーラーパネルの設置角度を調節できるから、補助材を使用する場合に比べてソーラーパネルの設置角度を簡単に調節できるという利点もある。
【００１０】
また、本発明にあって、筐体の一側面に開閉可能な開口部が設けられていることが提案される。かかる構成にあっては、バッテリー以外の器具を筐体内部に収容しておき、必要に応じて簡単に出し入れすることが可能となる。
【００１１】
また、本発明の別の態様は、上記可搬ソーラー発電装置と、該可搬ソーラー発電装置の筐体に収容可能に構成され、該可搬ソーラー発電装置を電源として点灯する照明器具とを備えることを特徴とする可搬ソーラー照明装置である。かかる可搬ソーラー照明装置は、照明器具を筐体内に収容して一体的にすることで、複数人で適切に持ち運ぶことが可能となる。
【００１２】
また、上記可搬ソーラー照明装置にあって、前記照明器具は、ポールの上部にＬＥＤを保持してなる照明器具本体と、該照明器具本体の下端に装着して照明器具本体を地面に立設するためのペグとを備えてなる構成が提案される。かかる構成にあっては、ペグを用いて照明器具本体を地面に突き立てることで、照明器具を転倒しないよう強固に設置できる。
【発明の効果】
【００１３】
以上に述べたように、本発明の可搬ソーラー発電装置及び可搬ソーラー照明装置は、複数人で把持して適切に持ち運ぶことができ、なおかつ、低コストで製造できるという利点がある。
【図面の簡単な説明】
【００１４】
【図１】実施例の可搬ソーラー発電装置１の斜視図である。
【図２】実施例の可搬ソーラー発電装置１の左側面図である。
【図３】（ａ）は開口部５を閉鎖した状態の斜視図であり、（ｂ）は開口部５を開放した状態の斜視図である。
【図４】図２中のＡ−Ａ線断面図である。
【図５】実施例の可搬ソーラー発電装置１の運搬方法を示す説明図である。
【図６】実施例の可搬ソーラー発電装置１の設置方法を示す説明図である。
【図７】実施例の可搬ソーラー照明装置３０の斜視図である。
【図８】照明器具本体３４本体及びペグ３５の正面図である。
【発明を実施するための形態】
【００１５】
本発明の実施形態を、以下の実施例に従って説明する。
【００１６】
実施例の可搬ソーラー発電装置１は、図１に示すように、左右に長尺な矩形状ソーラーパネル２と、該ソーラーパネル２の底面に配設された筐体３とを備えてなる。
【００１７】
筐体３は、ステンレス板を左右に長尺な箱形状に成形加工してなるものである。具体的には、図２に示すように、筐体３は、側面視六角形状をなしており、左右の側面を形成する六角形状の側板部４ａと、ソーラーパネル２の前後縁からパネルと直交する方向に垂下する垂直板部４ｂ，４ｂと、各垂直板部４ｂ，４ｂの下縁から４５°の角度で内側に傾斜しながら下方に延出する開閉板部４ｃと傾斜板部４ｄと、開閉板部４ｃ及び傾斜板部４ｄの下縁とを結ぶ、ソーラーパネル２と平行な平行板部４ｅとで構成される。なお、筐体３は、ソーラーパネル２の底面に被着する部分は開放されている。ここで、筐体３は、前後方向（短尺方向）の幅寸法がソーラーパネル２と等しく、左右方向（長尺方向）の幅寸法がソーラーパネル２よりも短く設計されており、ソーラーパネル２の左右の両側端部２１，２１は、図１に示すように、筐体３の外側に延出している。また、筐体３の側板部４ａ，４ａの上縁には、外側に延出する固定板部４ｆ，４ｆが筐体３と一体的に設けられており、当該固定板部４ｆをソーラーパネル２の側端部２１の底面にネジ止め等することによって、筐体３がソーラーパネル２に固定されている。
【００１８】
筐体３の開閉板部４ｃには、図３に示すように、矩形の開口部５が形成されている。この開口部５は脱着可能な蓋体６によって遮蔽されており、該開口部５を介して筐体３に任意の器具を収容し、必要に応じて取り出し得るよう構成されている。具体的には、開口部５は、開閉板部４ｃの略全体に亘って形成される。この開口部５の両側縁には、貫通孔が形成された係止板片１２，１２が外側に突成され、また、開口部５の周囲には蓋体６の密閉性を高めるパッキン１３が配設される。蓋体６は、開口部５より大きな矩形板材である。蓋体６の両側には、係止板片１２を挿通させる係止孔１４，１４が形成されており、各係止板片１２を係止孔１４に挿通し、各係止板片１２の貫通孔にピン１６を挿入することで、開口部５を閉鎖した状態で蓋体６が開閉板部４ｃに係止される。すなわち、かかる構成にあっては、係止板片１２にピン１６を抜き差しするだけで、蓋体６を脱着して開口部５を簡単に開閉することができる。また、蓋体６の右下部には切欠１７が形成されており、蓋体６の装着状態にあっても該切欠１７の形成部分については開口部５が覆われず、当該切欠１７を介して筐体３の内部からリード線を引き出し得るよう構成されている。
【００１９】
筐体３の内部には、図４に示すように、バッテリー７と、充放電コントローラー８と、インバーター９とが収納される。具体的には、これらの機器７，８，９は、金属製の取付板２０にネジ止めされ、取付板２０を傾斜板部４ｄの内側に溶接することによって、筐体３の内部に固定される。充放電コントローラー８は、ＤＣ１２Ｖの出力端子を備えるとともに、ソーラーパネル２とバッテリー７とに接続されて、バッテリー７の充放電制御を行うものである。インバーター９は、家庭用の一般的なコンセントを備え、充放電コントローラー８が出力する直流電流をＡＣ１００Ｖに変換して出力するよう構成されている。
【００２０】
実施例の可搬ソーラー発電装置１は、上述のように、ソーラーパネル２の左右の側端部２１，２１が筐体３の外側に１０ｃｍ程度延出しており、図５に示すように、かかる側端部２１，２１を二人で別々に保持することで、車両の通行できない細い道や階段のあるところへも持ち運ぶことができるよう構成されている。この可搬ソーラー発電装置１は、左右の幅寸法が１〜２ｍ程度で、重量が３０ｋｇ程度に構成される。かかるサイズ、重量であれば、一般的な成人男性二人で持ち運ぶことができ、また、ソーラーパネル２の出力や、バッテリー７の容量に関しても、非常時用や遠隔地用の発電装置に必要とされる量を確保できる。
【００２１】
設置場所まで運搬した可搬ソーラー発電装置１は、太陽光が当たるようにして地面に載置するだけで発電できる。ここで、可搬ソーラー発電装置１は、図６（ａ）に示すように、傾斜板部４ｄを下向きにする姿勢と、図６（ｂ）に示すように、平行板部４ｅを下向きにする姿勢で水平面に安定に載置することができ、傾斜板部４ｄを下向きに載置した場合はソーラーパネル２を傾けて保持し、平行板部４ｅを下向きに載置した場合はソーラーパネル２を水平に保持することができる。なお、バッテリー７等の機器の固定箇所を調整すれば、上記二通りの姿勢で安定に載置し得る重心位置は簡単に実現可能である。このように、本実施例では、装置の置き方を選択することで、太陽の角度に合わせてソーラーパネル２の設置角度を調節することができる。
【００２２】
ソーラーパネル２が発電してバッテリー７が充電状態となると、充放電コントローラー８やインバーター９に電気機器を接続することで、当該電気機器に電力を供給することが可能となる。非常用無線などの比較的小型の電気機器であれば、筐体３の空きスペースに収容しておくこともできる。また、筐体３内には、ソーラーパネル２の設置方位を確認するためのコンパスを収容しておくことが望ましい。
【００２３】
以上のように、本実施例の可搬ソーラー発電装置１は、ソーラーパネル２の左右の側端部２１，２１を手掛りとして複数人で安定に持ち運ぶことができるから、筐体３に持ち手を配設する必要がなく、低コストで製造できるという利点がある。ここで、ソーラーパネル２の左右の側端部２１，２１は、パネル２の全幅に亘って庇状に延出しているから、運び手は、かかる側端部２１の任意の場所を選択的に手掛りとすることができる。すなわち、運び手は、当該側端部２１を片手で保持することもできるし、両手で保持することもできる。また、一方の側端部２１を複数人で保持することもできる。したがって、本実施例の可搬ソーラー発電装置１は、複数人による多様な持ち方に柔軟に対応することができる。
【００２４】
特に、ソーラーパネル２の左右の側端部２１，２１は、ソーラーパネル２の長尺方向に対向しているから、かかる側端部２１，２１を対にして保持することで、長尺な可搬ソーラー発電装置１をより安定に保持することができる。また、運搬時に、発電装置１と運び手が、パネル２の長尺方向に並ぶため、比較的狭い通路でも好適に運搬できるという利点がある。
【００２５】
また、本実施例では、筐体３の二つの板部４ｄ，４ｅを下に向けて地面に載置するだけで、ソーラーパネル２を異なる角度で設置できるため、補助材を用いて筐体を傾ける特許文献１の従来構成に比べて、低コストであるとともに、設置作業も短時間で済むという利点がある。また、本実施例では、平行板部４ｅを下向きして載置すれば、パネル２の上に物を載せたり、発電装置１を積み重ねたりすることが可能となるから、倉庫で保管したり、車で搬送したりするのにも適している。
【００２６】
図７は、上記可搬ソーラー発電装置１を電源として利用した可搬ソーラー照明装置３０について説明する。可搬ソーラー照明装置３０は、上記可搬ソーラー発電装置１と照明器具３１とで構成される。照明器具３１は、ポール３２の上端にＬＥＤ３３を取り付けてなる複数本の照明器具本体３４と、照明器具本体３４を立設するためのペグ３５と、各照明器具本体３４を可搬ソーラー発電装置１と接続するリード線３８とを備えている。図８に示すように、照明器具本体３４のポール３２は、中空角パイプからなるものであり、ＬＥＤ３３はポール３２の上端部外側面に固着されている。また、ペグ３５は、基端側に設けられた連結部３７をポール３２の下端に内嵌させることで、照明器具本体３４に対して脱着可能に取り付けられている。また、リード線３８は、ポール３２の下端部に設けられた貫通孔３６から、ポール３２の内部に挿入されてＬＥＤ３３に接続されている。
【００２７】
ここで、各照明器具本体３４は、可搬ソーラー発電装置１の筐体３の幅寸法よりも短く設計されており、可搬ソーラー照明装置３０を保管したり運搬したりする時は、照明器具本体３４とペグ３５とリード線３８の全てを、筐体３の内部に収容しておくことができる。可搬ソーラー照明装置３０を設置する場合には、可搬ソーラー発電装置１を所要位置に載置し、照明器具３１を筐体３から取り出して、ペグ３５を用いて照明器具本体３４を地面に突き立てて、リード線３８を充放電コントローラー８に接続すればよい。かかる構成にあっては、ペグ３５を用いて照明器具本体３４を立設することで、風や地震による転倒を防止することができる。また、ペグ３５は、スタンドよりもはるかに軽量に実現できるから、持ち運ぶ際の負担が少ないという利点もある。なお、かかる照明装置３０を、ペグ３５を突き立てられない舗装路等に設置する場合は、ペグ３５を装着せずに、粘着テープや結束バンド等を用いて、照明器具本体３４のポール３２を電柱や樹木等に固定すればよい。
【００２８】
このように、本実施例の可搬ソーラー照明装置３０は、上記発電装置１の利点を有するとともに、照明器具３１を発電装置１の筐体３内部に収容することで、発電装置１と照明器具３１を一体として保管・運搬することができる。また、照明器具本体３４は、未舗装の地面であれば、ペグ３５を装着することで、簡単に、且つ、強固に立設できるという利点がある。
【００２９】
なお、本発明の可搬ソーラー発電装置は、上記実施例の形態に限らず本発明の要旨を逸脱しない範囲内において種々変更を加えることができる。例えば、上記実施例では、ソーラーパネル２の対向する二辺のみが筐体３の外側に延出しているが、ソーラーパネルの、対向する二辺以外の部分が筐体の外側に延出していてもよい。
【符号の説明】
【００３０】
１  可搬ソーラー発電装置
２  ソーラーパネル
３  筐体
４ａ  側板部
４ｂ  垂直板部
４ｃ  開閉板部
４ｄ  傾斜板部
４ｅ  平行板部
４ｆ  固定板部
５  開口部
６  蓋体
７  バッテリー
８  充放電コントローラー
９  インバーター
１２  係止板片
１３  パッキン
１４  係止孔
１６  ピン
１７  切欠
２０  取付板
２１  側端部
３０  可搬ソーラー照明装置
３１  照明器具
３２  ポール
３３  ＬＥＤ
３４  照明器具本体
３５  ペグ
３６  貫通孔
３７  連結部
【図１】
0005677218.tif 000002
【図２】
0005677218.tif 000003
【図３】
0005677218.tif 000004
【図４】
0005677218.tif 000005
【図５】
0005677218.tif 000006
【図６】
0005677218.tif 000007
【図７】
0005677218.tif 000008
【図８】
0005677218.tif 000009